(57)【要約】【課題】従来より小さいスペースに設置可能な回転直動変換機構を有する遊技機を提供する。【解決手段】本発明のパチンコ遊技機１０では、第１の扉５１を直動するための回転直動変換機構８０Ｘが、直動巻回ベルト８５を必要な量だけリール８１から延ばし、不要な部分はリール８１に巻回する構成になっているので、従来のラックアンドピニオンによる回転直動変換機構に比べて小さいスペースに設置することができる。しかも、直動巻回ベルト８５が、直線状に延びた状態で幅方向において円弧状に湾曲した板金で構成されているので座屈強度も高い。また、直動巻回ベルト８５を板金で構成したことにより、樹脂で構成した場合に比べて信頼性が向上すると共に、薄肉化することができ、コンパクトになる。【選択図】図１３
2008194313.tif 000002
【特許請求の範囲】
【請求項１】
回転駆動源と、その回転駆動源に対して直動可能に設けられた直動部材と、
前記回転駆動源の出力回転を前記直動部材の直動動作に変換するための回転直動変換機構とを有した遊技機において、
前記回転直動変換機構は、前記回転駆動源により回転駆動されるリールと、
帯状をなし、一端部が前記リールに固定される一方、他端部が前記直動部材に固定され、前記リールを一方側に回転駆動したときに弾性変形して前記リールに巻回され、前記直動部材を前記リール側の始端位置へと引っ張って移動することが可能な直動巻回ベルトを備え、
その直動巻回ベルトは、前記リールを他方側に回転駆動したときに、弾性復元して前記リールと前記直動部材との間で直線状に延びかつ前記直動部材から直動反力を受けた際にその直動反力に抗した突っ張り状態になって前記直動部材を前記リールから離れた側の終端位置へと押圧して移動することが可能な剛性を有することを特徴とする遊技機。
【請求項２】
前記直動巻回ベルトは、直線状に延びた状態で幅方向において円弧状に湾曲した構造をなし、かつ、その円弧状になった凹部を内側にして巻回可能であると共に、その巻回された状態で幅方向において平坦になるように弾性変形される板金で構成されたことを特徴とする請求項１に記載の遊技機。
【請求項３】
前記リールの外周面に対向配置され、前記リールに巻回された前記直動巻回ベルトの径方向の広がりを規制すると共に、前記直動巻回ベルトの巻回量が増すに従ってその直動巻回ベルトに押されて前記リールから離れる側に弾性変形するベルト押さえを備えたことを特徴とする請求項１又は２に記載の遊技機。
【請求項４】
前記直動部材の直動方向に延び、その直動方向と前記直動巻回ベルトの幅方向とに直交した方向で前記直動部材の移動を規制するための直動ガイド部材を備えたことを特徴とする請求項１乃至３の何れかに記載の遊技機。
【請求項５】
前記直動ガイド部材には、前記直動部材の直動方向に延びたガイド突条が突出形成され、
前記直動部材には、前記直動巻回ベルトの幅方向に延び、前記ガイド突条に摺接可能な摺接突条が突出形成されたことを特徴とする請求項４に記載の遊技機。
【請求項６】
画像を表示可能な表示画面を有した表示装置と、
前記表示画面の前方に配置され、前記表示画面を縁取り可能なフレーム部材とを備え、そのフレーム部材の一辺に前記リールを配置すると共に、前記直動部材を前記表示画面と平行な方向で直動するように配置したことを特徴とする請求項１乃至５の何れかに記載の遊技機。
【請求項７】
前記直動部材の直動方向と平行に延びたレール部と、前記レール部に直動可能に係合したスライド部とを有して別体の２部品間を相対的に直動可能に連結し、前記スライド部が前記レール部の端部に当接することで前記２部品を直動可能範囲の両端部で位置決めする従動連結機構と、
前記従動連結機構により前記直動部材に連結された従動部材とを備え、
前記直動部材が、前記始端位置と前記終端位置との間を移動する途中で、前記スライド部が前記レール部に沿って移動した後、前記スライド部が前記レール部の端部に当接して、前記従動部材が前記直動部材と一体に移動することを特徴とする請求項１乃至６の何れかに記載の遊技機。
【請求項８】
水平方向を向いた表示画面を有する表示装置と、
前記表示画面の前方に配置され、前記表示画面を四角形に縁取り可能であると共に、一辺に前記リールが回転可能に軸支されたフレーム部材と、
前記表示画面と平行な板状をなしかつ前記リールを備えた一辺とその対向辺との間を直動可能な前記直動部材としての直動プレートと、
前記フレーム部材のうち前記リールを備えた一辺側で、前記直動プレートに複数重ねて配置可能な複数の従動プレートと、
前記直動プレートの直動方向と平行に延びたレール部と、前記レール部に直動可能に係合したスライド部とを有して別体の２部品間を相対的に直動可能に連結し、前記スライド部が前記レール部の端部に当接することで前記２部品を直動可能な範囲の両端部で位置決めする従動連結機構とを備え、
隣り合って重なった前記従動プレート同士をそれぞれ前記従動連結機構にて連結すると共に一端側の前記従動プレートを前記直動プレートに前記従動連結機構にて連結し、さらに、他端側の前記従動プレートを前記フレーム部材のうち前記リールを備えた一辺に前記従動連結機構にて連結することで、前記直動プレートが前記フレーム部材の一辺側の前記始端位置からその対向辺側の前記終端位置へと移動する過程で前記複数の従動プレートが徐々に相互にずれて展開されるように構成したことを特徴とする請求項１乃至３の何れかに記載の遊技機。
【請求項９】
前記フレーム部材の一辺には、前記始端位置に配置された前記直動プレートに前記複数の従動プレートを重ねた状態にして収容可能なプレート収容部が備えられたことを特徴とする請求項８に記載の遊技機。
【請求項１０】
前記リールは、前記フレーム部材の上辺に配置されると共に、前記直動プレートは上下方向に直動し、
前記直動プレートが前記終端位置に配置されたときに、前記各従動プレートが、自重により前記従動連結機構における直動範囲の一端側に位置決めされ、
前記直動プレートが前記始端位置に配置されたときに、前記各従動プレートが前記直動プレートを介して前記回転駆動源から受ける力により、前記従動連結機構における直動範囲の他端側に位置決めされることを特徴とする請求項８又は９に記載の遊技機。
【請求項１１】
前記表示画面と平行かつ水平な方向に直動可能に設けられ、前記直動プレートの側方で前記表示画面の一部を覆うことが可能な横開閉扉と
前記横開閉扉に一体に設けられて前記直動プレートの前側又は後側の領域で片持ち梁状に延びたラックと、
前記フレーム部材に取り付けられたサブ回転駆動源と、
前記サブ回転駆動源によって回転駆動され、前記ラックに噛合したピニオンとを備えたことを特徴とする請求項１０に記載の遊技機。
【請求項１２】
前記直動プレートを、前記フレーム部材の左右方向の中央に配置すると共に、前記横開閉扉を前記直動プレートに対して左右対称に配置したことを特徴とする請求項１１に記載の遊技機。
【請求項１３】
前記直動プレートに設けられて左右両方向に延び、左右の前記直動プレートの後方に配置されて先端部が前記フレーム部材の両側部に対向した支持補助部材と、
前記フレーム部材の両側部に設けられて上下方向に延び、前記支持補助部材の両端部に対して前後方向で移動を規制すると共に上下方向で摺動可能に係合した上下動補助ガイドとを設けたことを特徴とする請求項１２に記載の遊技機。
【請求項１４】
左右方向に延びたレール部と、前記レール部に直動可能に係合したスライド部とを有して別体の２部品間を相対的に直動可能に連結し、前記スライド部が前記レール部の端部に当接することで前記２部品を直動可能範囲の両端部で位置決め可能な扉連結機構と、
前記横開閉扉に前記扉連結機構にて連結された従動扉とを設け、
前記横開閉扉が前記フレーム部材の側部に移動したときに前記横開閉扉に対して前記従動扉が重なり、前記横開閉扉が前記フレーム部材の中央側に移動したときに、前記横開閉扉に対して前記従動扉がずれて前記表示画面の一部を覆うように構成したことを特徴とする請求項１１乃至１３の何れかに記載の遊技機。
【発明の詳細な説明】
【技術分野】
【０００１】
本発明は、回転駆動源の出力回転を直動部材の直動動作に変換するための回転直動変換機構を備えた遊技機に関する。
【背景技術】
【０００２】
図１８には、従来の遊技機に備えた回転直動変換機構５が示されている。この回転直動変換機構５は、遊技機に備えた表示画面の前方に備えた扉１，１を、モータ２にて直動させるために備えられ、各扉１に一体に設けたラック３と、モータ２の回転出力軸に取り付けられてラック３に噛合したピニオン４とからなる。また、ラック３を扉１から片持ち梁状に突出させることで、扉１の全長より長い直動ストロークを確保している（例えば、特許文献１参照）。
【特許文献１】特開２００５−４０４１３号公報（第３図〜第５図）
【発明の開示】
【発明が解決しようとする課題】
【０００３】
しかしながら、上述した従来の遊技機に備えた回転直動変換機構５では、扉１の直動スペースの延長上にラック３の片持ち梁部分用の直動スペースを加えて確保する必要があり、遊技機内に回転直動変換機構５を設置するための広いスペースが必要になっていた。
【０００４】
本発明は、上記事情に鑑みてなされたもので、従来より小さいスペースに設置可能な回転直動変換機構を有する遊技機の提供を目的とする。
【課題を解決するための手段】
【０００５】
上記目的を達成するためになされた請求項１の発明に係る遊技機は、回転駆動源と、その回転駆動源に対して直動可能に設けられた直動部材と、回転駆動源の出力回転を直動部材の直動動作に変換するための回転直動変換機構とを有した遊技機において、回転直動変換機構は、回転駆動源により回転駆動されるリールと、帯状をなし、一端部がリールに固定される一方、他端部が直動部材に固定され、リールを一方側に回転駆動したときに弾性変形してリールに巻回され、直動部材をリール側の始端位置へと引っ張って移動することが可能な直動巻回ベルトを備え、その直動巻回ベルトは、リールを他方側に回転駆動したときに、弾性復元してリールと直動部材との間で直線状に延びかつ直動部材から直動反力を受けた際にその直動反力に抗した突っ張り状態になって直動部材をリールから離れた側の終端位置へと押圧して移動することが可能な剛性を有するところに特徴を有する。
【０００６】
請求項２の発明は、請求項１に記載の遊技機において、直動巻回ベルトは、直線状に延びた状態で幅方向において円弧状に湾曲した構造をなし、かつ、その円弧状になった凹部を内側にして巻回可能であると共に、その巻回された状態で幅方向において平坦になるように弾性変形される板金で構成されたところに特徴を有する。
【０００７】
請求項３の発明は、請求項１又は２に記載の遊技機において、リールの外周面に対向配置され、リールに巻回された直動巻回ベルトの径方向の広がりを規制すると共に、直動巻回ベルトの巻回量が増すに従ってその直動巻回ベルトに押されてリールから離れる側に弾性変形するベルト押さえを備えたところに特徴を有する。
【０００８】
請求項４の発明は、請求項１乃至３の何れかに記載の遊技機において、直動部材の直動方向に延び、その直動方向と直動巻回ベルトの幅方向とに直交した方向で直動部材の移動を規制するための直動ガイド部材を備えたところに特徴を有する。
【０００９】
請求項５の発明は、請求項４に記載の遊技機において、直動ガイド部材には、直動部材の直動方向に延びたガイド突条が突出形成され、直動部材には、直動巻回ベルトの幅方向に延び、ガイド突条に摺接可能な摺接突条が突出形成されたところに特徴を有する。
【００１０】
請求項６の発明は、請求項１乃至５の何れかに記載の遊技機において、画像を表示可能な表示画面を有した表示装置と、表示画面の前方に配置され、表示画面を縁取り可能なフレーム部材とを備え、そのフレーム部材の一辺にリールを配置すると共に、直動部材を表示画面と平行な方向で直動するように配置したところに特徴を有する。
【００１１】
請求項７の発明は、請求項１乃至６の何れかに記載の遊技機において、直動部材の直動方向と平行に延びたレール部と、レール部に直動可能に係合したスライド部とを有して別体の２部品間を相対的に直動可能に連結し、スライド部がレール部の端部に当接することで２部品を直動可能範囲の両端部で位置決めする従動連結機構と、従動連結機構により直動部材に連結された従動部材とを備え、直動部材が、始端位置と終端位置との間を移動する途中で、スライド部がレール部に沿って移動した後、スライド部がレール部の端部に当接して、従動部材が直動部材と一体に移動するところに特徴を有する。
【００１２】
請求項８の発明は、請求項１乃至３の何れかに記載の遊技機において、水平方向を向いた表示画面を有する表示装置と、表示画面の前方に配置され、表示画面を四角形に縁取り可能であると共に、一辺にリールが回転可能に軸支されたフレーム部材と、表示画面と平行な板状をなしかつリールを備えた一辺とその対向辺との間を直動可能な直動部材としての直動プレートと、フレーム部材のうちリールを備えた一辺側で、直動プレートに複数重ねて配置可能な複数の従動プレートと、直動プレートの直動方向と平行に延びたレール部と、レール部に直動可能に係合したスライド部とを有して別体の２部品間を相対的に直動可能に連結し、スライド部がレール部の端部に当接することで２部品を直動可能な範囲の両端部で位置決めする従動連結機構とを備え、隣り合って重なった従動プレート同士をそれぞれ従動連結機構にて連結すると共に一端側の従動プレートを直動プレートに従動連結機構にて連結し、さらに、他端側の従動プレートをフレーム部材のうちリールを備えた一辺に従動連結機構にて連結することで、直動プレートがフレーム部材の一辺側の始端位置からその対向辺側の終端位置へと移動する過程で複数の従動プレートが徐々に相互にずれて展開されるように構成したところに特徴を有する。
【００１３】
請求項９の発明は、請求項８に記載の遊技機において、フレーム部材の一辺には、始端位置に配置された直動プレートに複数の従動プレートを重ねた状態にして収容可能なプレート収容部が備えられたところに特徴を有する。
【００１４】
請求項１０の発明は、請求項８又は９に記載の遊技機において、リールは、フレーム部材の上辺に配置されると共に、直動プレートは上下方向に直動し、直動プレートが終端位置に配置されたときに、各従動プレートが、自重により従動連結機構における直動範囲の一端側に位置決めされ、直動プレートが始端位置に配置されたときに、各従動プレートが直動プレートを介して回転駆動源から受ける力により、従動連結機構における直動範囲の他端側に位置決めされるところに特徴を有する。
【００１５】
請求項１１の発明は、請求項１０に記載の遊技機において、表示画面と平行かつ水平な方向に直動可能に設けられ、直動プレートの側方で表示画面の一部を覆うことが可能な横開閉扉と横開閉扉に一体に設けられて直動プレートの前側又は後側の領域で片持ち梁状に延びたラックと、フレーム部材に取り付けられたサブ回転駆動源と、サブ回転駆動源によって回転駆動され、ラックに噛合したピニオンとを備えたところに特徴を有する。
【００１６】
請求項１２の発明は、請求項１１に記載の遊技機において、直動プレートを、フレーム部材の左右方向の中央に配置すると共に、横開閉扉を直動プレートに対して左右対称に配置したところに特徴を有する。
【００１７】
請求項１３の発明は、請求項１２に記載の遊技機において、直動プレートに設けられて左右両方向に延び、左右の直動プレートの後方に配置されて先端部がフレーム部材の両側部に対向した支持補助部材と、フレーム部材の両側部に設けられて上下方向に延び、支持補助部材の両端部に対して前後方向で移動を規制すると共に上下方向で摺動可能に係合した上下動補助ガイドとを設けたところに特徴を有する。
【００１８】
請求項１４の発明は、請求項１１乃至１３の何れかに記載の遊技機において、左右方向に延びたレール部と、レール部に直動可能に係合したスライド部とを有して別体の２部品間を相対的に直動可能に連結し、スライド部がレール部の端部に当接することで２部品を直動可能範囲の両端部で位置決め可能な扉連結機構と、横開閉扉に扉連結機構にて連結された従動扉とを設け、横開閉扉がフレーム部材の側部に移動したときに横開閉扉に対して従動扉が重なり、横開閉扉がフレーム部材の中央側に移動したときに、横開閉扉に対して従動扉がずれて表示画面の一部を覆うように構成したところに特徴を有する。
【発明の効果】
【００１９】
［請求項１の発明］
請求項１の遊技機に備えた回転直動変換機構は、回転駆動源により回転駆動されるリールに直動巻回ベルトを巻回し、その直動巻回ベルトの端部を直動部材に固定した構造になっている。そして、リールを一方側に回転駆動すると直動巻回ベルトが弾性変形してリールに巻回され、直動部材が始端位置へと引っ張られて移動する。一方、リールを他方側に回転駆動すると直動巻回ベルトが弾性復元してリールと直動部材との間で直線状に延びかつ直動部材を終端位置へと押圧して移動することができる。このように、本発明の遊技機に備えた回転直動変換機構では、直動巻回ベルトが必要な量だけリールから延ばされて直動部材を押圧することができ、直動巻回ベルトのうち不要な部分はリールに巻回されるので、従来の回転直動変換機構に比べて小さいスペースに設置することができる。
【００２０】
［請求項２の発明］
直動巻回ベルトは、樹脂、ゴム、板金等の何れの材料で構成してもよい。また、請求項２のように、直動巻回ベルトを直線状に延びた状態で幅方向において円弧状に湾曲した板金で構成にすれば、座屈に対する強度が増す。また、直動巻回ベルトを板金で構成すれば、樹脂で構成した場合のようなクリープ変形もないので、信頼性が向上すると共に、薄肉化することができるので、リールに巻回した状態でコンパクトにすることができる。
【００２１】
［請求項３の発明］
請求項３の構成では、リールに巻回された直動巻回ベルトの径方向の広がりをベルト押さえによって規制することで、巻回された直動巻回ベルトをコンパクトな状態に保持することができる。
【００２２】
［請求項４の発明］
請求項４の構成によれば、直動ガイド部材の案内により直動部材の直動動作が安定する。
【００２３】
［請求項５の発明］
請求項５の構成では、直動ガイド部材と直動部材との間でガイド突条と摺接突条が摺接するので、摺接面積が抑えられ、摺接抵抗を低減することができる。
【００２４】
［請求項６の発明］
請求項６の構成によれば、表示画面に表示された画像と直動部材との動作を合わせて遊技者に見せることで演出効果を高めることができる。
【００２５】
［請求項７の発明］
請求項７の構成によれば、一つの回転駆動源で、直動部材と従動部材の動作の始動タイミングをずらした煩雑な動作を行わせることができる。
【００２６】
［請求項８の発明］
請求項８の構成によれば、表示画面の画像と直動プレートと複数の従動プレートの動作とを合わせて遊技者に見せると共に、直動プレート及び複数の従動プレートを徐々にずらして展開させることで、演出効果を高めることができる。
【００２７】
［請求項９の発明］
請求項９の構成によれば、フレーム部材の一辺に備えたプレート収容部に、直動プレートと複数の従動プレートとを重ねた状態にして収容することができる。
【００２８】
［請求項１０の発明］
請求項１０の構成によれば、各従動プレートが自重により従動連結機構における直動範囲の一端側に位置決めされるので、直動プレート及び従動プレートからなるプレート群を伸縮する動作が安定する。
【００２９】
［請求項１１及び１２の発明］
請求項１１の構成によれば、表示画面の前方で直動プレートと横開閉扉とが異なる方向（そ上下方向と水平方向）で直動することで、演出効果が高まる。そして、その横開閉扉を直動させるためのラックが、横開閉扉に一体に設けられて直動プレートの前方又は後方の領域で延びているので、直動プレートの移動空間とラックの移動空間とを前後に並べて隣接配置することができコンパクトな構成にすることができる。さらに、請求項１２の構成のように、直動プレートを、フレーム部材の左右方向の中央に配置すると共に、横開閉扉を直動プレートに対して左右対称に配置すれば、横開閉扉を２つにしてもコンパクトな構成にすることができる。
【００３０】
［請求項１３の発明］
請求項１３の構成によれば、直動プレートに備えた支持補助部材が、フレーム部材の両側部に設けた上下動補助ガイドに案内されて直動プレートの動作が安定する。しかも、支持補助部材は横開閉扉によって覆われているので、見た目にも優れる。
【００３１】
［請求項１４の発明］
請求項１４の構成によれば、一つのサブ回転駆動源で、横開閉扉と従動扉の動作の始動タイミングをずらした煩雑な動作を行わせることができる。
【発明を実施するための最良の形態】
【００３２】
以下、本発明を適用したパチンコ遊技機１０に係る第１実施形態を、図１〜図１７に基づいて説明する。図１に示すように、本実施形態のパチンコ遊技機１０の遊技板１１には、ガイドレール１２で囲まれたほぼ円形の遊技領域Ｒ１が形成され、その遊技領域Ｒ１内に液晶表示画面３４（本発明の「表示画面」に相当する）が備えられている。遊技領域Ｒ１のうち液晶表示画面３４の下方領域のうち左右方向の中央部には、第１及び第２の始動入賞口１４Ａ，１４Ｂ、大入賞口１５及びアウト口１６が上から順番に並べて設けられ、左右の両側部には、ガイドレール１２に沿って一般入賞口２０，２１及びサイドランプ２２がそれぞれ設けられている。また、第２の始動入賞口１４Ｂの左隣には始動ゲート１８Ａが設けられ、第２の始動入賞口１４Ｂの右隣には通常ゲート１８Ｂが設けられている。さらに、液晶表示画面３４の左側の流下領域には、風車１９が設けられている。そして、遊技領域Ｒ１全体に亘って、図示しない複数の障害釘が起立している。
【００３３】
遊技板１１は前側を前面枠１０Ｚにて覆われ、その前面枠１０Ｚに形成されたガラス窓１０Ｗを通して遊技領域Ｒ１が前方に臨んでいる。前面枠１０Ｚのうちガラス窓１０Ｗの上方には左右に１対のスピーカ２５，２５が設けられ、ガラス窓１０Ｗより下方には、上皿２７Ａ及び下皿２７Ｂが上下２段にして設けられている。そして、下皿２７Ｂの右端部に備えた操作ノブ２８を回動操作すると、上皿２７Ａに収容された遊技球が遊技領域Ｒ１に向けて弾き出される。なお、上皿２７Ａに備えたボタン２９を押すと上皿２７Ａに収容されている遊技球が下皿２７Ｂへと移動する。
【００３４】
次に所要の各部位についてさらに詳説する。一般入賞口２０，２１は、所謂、ポケット構造をなし、遊技球が丁度１つ入球可能な大きさで上方に開口している。そして、各一般入賞口２０，２１に入った遊技球は、遊技板１１に設けた図示しない貫通孔を通って、遊技板１１の裏側に回収される。そして、これら各一般入賞口２０，２１に遊技球の１球の入賞を検出する度に、例えば、４個の賞球が上皿２７Ａに払い出される。
【００３５】
始動ゲート１８Ａは、遊技球が通過可能な門形構造をなし、通過した遊技球は始動ゲート１８Ａに内蔵されたゲートスイッチ（図示せず）によって検出される。この検出信号に基づいて、液晶表示画面３４の下端部に備えた普通図柄表示部３４Ｄの図柄が変動表示される。その普通図柄表示部３４Ｄは、「０」〜「９」までの数字からなる数字図柄が所定期間に亘って変動表示された後、所定の数字図柄が停止表示される。なお、通常ゲート１８Ｂは、ゲートスイッチを有さず、遊技球が単に通過可能な門形構造になっている。
【００３６】
第１及び第２の始動入賞口１４Ａ，１４Ｂは、上下に並べて配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３７】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。そして、普通図柄表示部３４Ｄで停止表示された数字図柄が奇数になると、遊技板１１の裏に設けた普通電動役物ソレノイド（図示せず）が駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。また、第１及び第２の各始動入賞口１４Ａ，１４Ｂ内に遊技球の１球の入賞を検出する度に、例えば、４個の賞球が上皿２７Ａに払い出されると共に、遊技の当否判定が行われ、その当否判定の結果が、液晶表示画面３４に表示される。
【００３８】
液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞して当否判定が行われたときに、これら３つの特別図柄１３Ａ，１３Ｂ，１３Ｃが、上下方向にスクロール表示され、所定時間後に、例えば、左、中、右の順で各特別図柄１３Ａ，１３Ｂ，１３Ｃが停止表示される。このとき、遊技の当否判定の結果が「大当たり」であれば、例えば、全ての特別図柄１３Ａ，１３Ｂ，１３Ｃが同じ図柄、即ち、ぞろ目になる。
【００３９】
また、液晶表示画面３４において特別図柄１３Ａ，１３Ｂ，１３Ｃが変動表示又は「大当たり状態」の最中に始動入賞口１４Ａ，１４Ｂに入賞した場合、その入賞球は保留球として最大で４個まで記憶され、その保留記憶数（保留球数）が、液晶表示画面３４の下端部に備えた保留数表示部３４Ｅに表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。
【００４０】
なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００４１】
大入賞口１５は、横長矩形に形成されて、常には、可動扉１５Ｔにて閉塞されている。パチンコ遊技機１０が「大当たり状態」になると、遊技板１１の裏に設けた図示しない大入賞口ソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。
【００４２】
ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００４３】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた大入賞口第１スイッチ（図示せず）が遊技球の入賞を検出すると、前述した終了条件を満たしてラウンドが終了した後で、連続して次のラウンドが実行される。また、計数入賞口内に設けた大入賞口第２スイッチ（図示せず）が遊技球の入賞を検出すると、継続入賞口への入賞球とあわせて、大入賞口１５への入賞球がカウントされ、これらが前記したように計１０個に達したか否かがチェックされる。なお、大入賞口１５に遊技球が入賞すると、その度に、例えば、１５個の遊技球が上皿２７Ａに払い出される。
【００４４】
さて、遊技領域Ｒ１内に液晶表示画面３４を設けるために、図３に示すように遊技板１１には画像表示窓１１Ｗが貫通形成されている。その画像表示窓１１Ｗには、前面側から装飾枠２３が嵌合固定され、画像表示窓１１Ｗの後方側に本発明の「表示装置」に相当する液晶モジュール３３（詳細には、ＴＦＴ−ＬＣＤモジュール）が配置されている。液晶モジュール３３は、全体が平板状になっており、その横長矩形の前面の略全体が液晶表示画面３４になっている。また、液晶モジュール３３は、その前面を除いた全体が箱形カバー３２によって覆われている。そして、その液晶モジュール３３の液晶表示画面３４が装飾枠２３を通して前方に臨んでおり、これにより、図１に示すように装飾枠２３に縁取られた液晶表示画面３４が遊技領域Ｒ１内に設けられている。
【００４５】
ここで、本実施形態のパチンコ遊技機１０では、遊技板１１と液晶モジュール３３との間に扉ユニット４０が設けられている。そして、扉ユニット４０に備えた第１〜第３の扉５１〜５３が、遊技の進行状況に応じて図２に示すように液晶表示画面３４を前方から覆うことができる。
【００４６】
扉ユニット４０は、横長矩形の枠形状をなしたフレーム部材３５を備え、そのフレーム部材３５は、図５に示すように、枠形ベース４１と枠形カバー４２とを組み付けてなる。そして、枠形ベース４１の後面側に第１の扉５１が組み付けられる一方、枠形ベース４１の前面側に第２及び第３の扉５２，５３が組み付けられ、枠形カバー４２が枠形ベース４１の後方と周囲とを覆っている。
【００４７】
図３に示すように枠形カバー４２のうち枠形ベース４１の周囲を覆う囲壁４２Ｃの前端部は、第２及び第３の扉５２，５３より前方に位置し、その囲壁４２Ｃから側方に張り出した固定壁４２Ｂが遊技板１１の後面に固定されている。また、フレーム部材３５の後面からは複数の固定支柱４２Ｋが突出しており、それら固定支柱４２Ｋの先端に箱形カバー３２が固定されて、フレーム部材３５の内側開口３５Ａに液晶表示画面３４が後方から宛がわれている。
【００４８】
図４に示すように第２及び第３の扉５２，５３は、フレーム部材３５に対して左右対称に配置され、共に横開閉扉５５と従動扉５６とを備えてなる。これら第２及び第３の扉５２，５３は、横開閉扉５５及び従動扉５６の前面に刻印された模様以外は全て左右対称形状になっているので、以下、第２及び第３の扉５２，５３を併せて説明する。
【００４９】
即ち、横開閉扉５５及び従動扉５６は、共に枠形ベース４１の上辺４１Ｕと下辺４１Ｄとの間で延びた帯板状をなし、横開閉扉５５の方が従動扉５６より若干幅広になっている。また、枠形ベース４１の両側辺４１Ｓ，４１Ｓの前面は、横開閉扉５５と略同一幅の矩形平坦面になっている。そして、各側辺４１Ｓ，４１Ｓの前側に第２及び第３の扉５２，５３に備えた各従動扉５６，５６が重ねられ、それら各従動扉５６，５６の前側にそれぞれ横開閉扉５５，５５が重ねられている。
【００５０】
各従動扉５６は、枠形ベース４１に対して左右方向に直動可能に係合されている。具体的には、図５に示すように各従動扉５６の上下方向に両端部には、それぞれ横並びに１対のスライド突部５６Ａ，５６Ａ（図５では従動扉５６の両端部の１つずつのスライド突部５６Ａのみが見えている）が備えられている。これに対して、枠形ベース４１の上辺４１Ｕ及び下辺４１Ｄには、左右方向の両端部にガイド溝４４Ａ，４４Ａが形成されている。そして、横並びになった１対ずつのスライド突部５６Ａを各ガイド溝４４Ａに挿入し、枠形ベース４１の後面側から各スライド突部５６Ａに抜け止め部材４４Ｚが嵌合固定されている。これにより、各従動扉５６が左右に直動可能となっている。
【００５１】
また、図７に示すように従動扉５６が開放端側（枠形ベース４１の側方端部側）に移動すると、スライド突部５６Ａがガイド溝４４Ａの一端部に当接して位置決めされると共に、従動扉５６全体が側辺４１Ｓの前面に重ねられた状態になる。一方、図８に示すように、従動扉５６が閉鎖端側に移動すると、スライド突部５６Ａがガイド溝４４Ａの他端部に当接して位置決めされると共に、従動扉５６の一側縁部のみが側辺４１Ｓに重なり、その側辺４１Ｓから従動扉５６が内側開口４１Ａ側に張り出した状態になる。
【００５２】
横開閉扉５５も、枠形ベース４１に対して左右方向に直動可能に係合されている。具体的には、図５に示すように横開閉扉５５の下端部からはスライド突片５５Ｔが下方に向けて突出している。また、横開閉扉５５の上端寄り位置には上下方向に延びた帯板部５５Ｘが備えられ、その帯板部５５Ｘの上端部にラック６０Ａが一体に設けられている。これに対し、枠形ベース４１の下縁部には、１対のガイド突条６１，６１が前方に突出形成されている。ガイド突条６１，６１は、枠形ベース４１の左右方向における両端部から中央寄り位置まで延びている。そして、ガイド突条６１には、上面開放のガイド溝４４Ｂが長手方向に延びており、そこに横開閉扉５５のスライド突片５５Ｔが受容されている。
【００５３】
また、枠形ベース４１の上端寄り位置には、枠形ベース４１とは別部品の上端支持壁部材６２が組み付けられている。上端支持壁部材６２は左右方向の全体に亘って延び、枠形ベース４１の前面から張り出しかつ枠形カバー４２の前面と面一状態になって固定され、横開閉扉５５及び従動扉５６の上方を覆っている。また、上端支持壁部材６２には、ガイド溝４４Ｂ，４４Ｂと上下方向で対向する位置に、それらガイド溝４４Ｂと同様に左右方向に延びた１対のスリット６２Ｓ，６２Ｓが形成されている。そして、そのスリット６２Ｓに横開閉扉５５の帯板部５５Ｘが挿通され、スリット６２Ｓの上方にラック６０Ａが配置されている。これらにより、横開閉扉５５が左右に直動可能になっている。
【００５４】
そして、横開閉扉５５が開放端側（枠形ベース４１の側方端部側）に移動すると、図６に示すように、スライド突片５５Ｔ、帯板部５５Ｘ、又は、ラック６０Ａの何れかが枠形ベース４１の所定箇所に当接して位置決めされると共に、このとき従動扉５６も開放端側の端部に移動し、横開閉扉５５全体が側辺４１Ｓ全体の前面に重ねられる。即ち、横開閉扉５５と側辺４１Ｓとの間に従動扉５６が収納された状態になる。一方、横開閉扉５５が閉鎖端側に移動すると。図８に示すように、スライド突片５５Ｔ、帯板部５５Ｘ、又は、ラック６０Ａの何れかが枠形ベース４１の別の所定箇所に当接して位置決めされると共に、このとき従動扉５６も閉鎖端側の端部に移動し、その従動扉５６に対し、横開閉扉５５が更に中央側に張り出した状態になる。
【００５５】
なお、従動扉５６は、組み付けを考慮して、帯板部５５Ｘにおける上下方向の中間部で上下の２部品に分割可能となっており、ビスによってそれら２部品が結合されている。また、ラック６０Ａは、横開閉扉５５から枠形ベース４１における左右方向の中央に向けて片持ち梁状に延びている。
【００５６】
上記の如く、従動扉５６と横開閉扉５５とが連動して開放端側と閉鎖端側に移動するように、横開閉扉５５と従動扉５６とは、本発明に係る扉連結機構５７によって連結されている。その扉連結機構５７は、横開閉扉５５に備えたガイド溝５５Ｂ（本発明の「扉連結機構」における「レール部」に相当する）と従動扉５６に備えた係合突部５６Ｂ（本発明の「扉連結機構」における「スライド部」に相当する）とからなる。具体的には、図５に示すように横開閉扉５５のうちスライド突片５５Ｔと帯板部５５Ｘとの間における上下方向の両端部には、ガイド溝５５Ｂ，５５Ｂが形成されている。各係合突部５６Ｂは横開閉扉５５を前後に貫通し、左右方向に延びている。
【００５７】
これに対応して従動扉５６には、上下方向の両端部から係合突部５６Ｂ，５６Ｂが前方に突出している。これら係合突部５６Ｂ，５６Ｂは、従動扉５６の前面のうち内側開口４１Ａの中央側の側縁部に配置されると共に突片構造をなし、その板厚方向が左右方向を向いている。そして、各係合突部５６Ｂが各ガイド溝５５Ｂに後面側から突入している。これにより従動扉５６と横開閉扉５５とが連動可能になっている。
【００５８】
第２及び第３の扉５２，５３の駆動源として１つずつの横開閉用モータ６３（本発明の「サブ回転駆動源」に相当する）が備えられている。各横開閉用モータ６３は回転出力軸を下方に向けた状態で、ラック６０Ａの上方を覆う上面壁４１Ｊに取り付けられている。また、横開閉用モータ６３の回転出力軸は、上面壁４１Ｊに貫通形成された貫通孔４１Ｈに挿通され、その回転出力軸に固定されたピニオン６０Ｂがラック６０Ａに噛合している。そして、これらラック６０Ａとピニオン６０Ｂとからなるラックアンドピニオン機構６０によって横開閉扉５５の直動動作に変換される。
【００５９】
上記構成により、横開閉用モータ６３によって横開閉扉５５が駆動される。そして、横開閉扉５５が一方に移動すると、途中までは、従動扉５６が静止した状態になって係合突部５６Ｂがガイド溝５５Ｂ内を相対的に移動する。そして、係合突部５６Ｂがガイド溝５５Ｂの一端部に当接してからさらに横開閉扉５５が一方に移動することで、横開閉扉５５の始動タイミングから遅れて従動扉５６が始動し、横開閉扉５５と共に一方に移動する。ガイド溝５５Ｂを他方に移動する場合も同様である。
【００６０】
詳細には、図６に示すように、横開閉扉５５及び従動扉５６が内側開口４１Ａの外方に退避した開放状態で横開閉用モータ６３を一方に回転させると、従動扉５６が静止した状態で横開閉扉５５のみが閉鎖端側に移動し、図７に示すように横開閉扉５５と従動扉５６とが互いに左右方向でずれた展開状態になる。そして、さらに横開閉用モータ６３を一方に回転させると、横開閉扉５５と従動扉５６とが展開状態を維持して共に閉鎖端側に移動する。そして、図８に示すように、従動扉５６が枠形ベース４１の側辺４１Ｓの内縁部から内側開口４１Ａの中央に向けて張り出し、さらにその従動扉５６から横開閉扉５５が内側開口４１Ａの中央に向けて張り出した閉鎖状態になる。このようにして第２の扉５２が全閉状態になると、液晶表示画面３４のうち左特別図柄１３Ａを上下にスクロール表示する左側領域３４Ａ（図１参照）全体が第２の扉５２によって前方から覆われる。また、第３の扉５３が全閉状態になると、液晶表示画面３４のうち右特別図柄１３Ｃを上下にスクロール表示する右側領域３４Ｃ（図１参照）全体が第３の扉５３によって前方から覆われる。
【００６１】
また、上記した全閉状態で横開閉用モータ６３を他方側に回転させると、従動扉５６が静止した状態で横開閉扉５５のみが開放側に移動し、図示しないが、横開閉扉５５全体と従動扉５６全体が前後方向で重なった折畳状態になる。そして、さらに横開閉用モータ６３を一方に回転させると、横開閉扉５５と従動扉５６とが折畳状態を維持して共に開放端側に移動する。そして、図６に示すように、開放状態に戻る。
【００６２】
第２及び第３の扉５２，５３の構成に関する説明は以上である。次に第１の扉５１の構成に関する説明を行う。第１の扉５１は、図８に示すように、第２及び第３の扉５２，５３の間に挟まれた枠形ベース４１の中央に配置されている。そして、第１の扉５１は、一つの直動プレート７１（本発明の「直動部材」、「直動プレート」の両方に相当する）に複数の従動プレート７２（本発明の「従動部材」、「従動プレート」の両方に相当する）を連結してなり、上下方向に伸縮可能（開閉可能）な構造をなしている。
【００６３】
具体的には、図１１及び図１２に示すように直動プレート７１は、プレート本体７１Ａにガイドプレート７１Ｂ（本発明の「直動ガイド部材」、「支持補助部材」に相当する）を固定してなる。プレート本体７１Ａは、横長矩形の板状をなし、ガイドプレート７１Ｂはそのプレート本体７１Ａより薄肉細長の帯板状になっている。そして、プレート本体７１Ａの後側にガイドプレート７１Ｂが重ねられた状態に固定され、ガイドプレート７１Ｂがプレート本体７１Ａから両側方に延びている。また、図１３に示すようにガイドプレート７１Ｂの後面には１対のガイド突条７１Ｃ，７１Ｃが突出形成されている。これらガイド突条７１Ｃ，７１Ｃは平行になって左右方向に延びている。
【００６４】
図９に示すように、フレーム部材３５には、ガイドプレート７１Ｂの両端部と係合可能な１対のガイド溝４６，４６（本発明の「上下動補助ガイド」に相当する。図９には、一方のガイド溝４６のみが示されている）が形成されている。具体的には、フレーム部材３５のうち枠形ベース４１の内側縁部と枠形カバー４２の内側縁部とを前後方向に対向させ、それらの間の隙間がガイド溝４６になっている。また、各ガイド溝４６の下端部は、枠形ベース４１の下辺４１Ｄから上方に離れた位置に配置される一方、ガイド溝４６の上端部は枠形ベース４１の上辺４１Ｕまで延び、さらに枠形ベース４１の上辺４１Ｕと枠形カバー４２の上辺とに挟まれた空間に連通している。また、ガイド溝４６のうちガイドプレート７１Ｂの後面と対向する部分からは摺接突条４６Ａが突出形成されて上下方向に延び、枠形ベース４１の上辺４１Ｕと枠形カバー４２とに挟まれた空間まで連続している。そして、ガイドプレート７１Ｂとガイド溝４６との案内により直動プレート７１がフレーム部材３５に対して上下方向に直動可能になっている。これにより、直動プレート７１が前後方向への移動を規制された状態で上下動する。また、ガイド溝４６とガイドプレート７１Ｂとの間で摺接突条４６Ａとガイド突条７１Ｃとを摺接させることで、それらガイド溝４６とガイドプレート７１Ｂとの間の摺接面積が抑えられ、摺接抵抗を低減することができる。
【００６５】
図１２に示すように複数の従動プレート７２は、直動プレート７１のプレート本体７１Ａと略同一の横長矩形の板状になし、プレート本体７１Ａの前側に重ねて配置されている。そして、本発明に係る従動連結機構７３Ｘ（図１４参照）によって隣り合った従動プレート７２同士がそれぞれ連結されると共に、最も直動プレート７１側に配置された従動プレート７２と直動プレート７１との間も同じ従動連結機構７３Ｘによって連結されている。
【００６６】
図１４に示すように、従動連結機構７３Ｘは、互いに前後で重ねられた従動プレート７２，７２同士又は従動プレート７２と直動プレート７１（図１２参照）とのうち前側の従動プレート７２の後面に形成された１対のレール部７３Ａ，７３Ａと、後側の従動プレート７２又は直動プレート７１の前面に形成された１対のスライド部７３Ｂ，７３Ｂとからなる。そのレール部７３Ａは、前側の従動プレート７２の後面における両側縁部に沿って上下方向に延びた溝構造になっている。また、レール部７３Ａは、開口幅より奥側が幅広になっている。
【００６７】
一方、スライド部７３Ｂは、図１２に示すように、後側の従動プレート７２又は直動プレート７１の前面における左右両側縁部の上端部に配置され、円柱脚部７３Ｃの先端にそれより大径の係合円板７３Ｄを備えた形状になっている。そして、各スライド部７３Ｂの係合円板７３Ｄがレール部７３Ａの奥部に受容され、これにより、レール部７３Ａに対してスライド部７３Ｂが直動可能かつ抜け止め状態に係合している。より詳細には、図１５に示すように従動プレート７２は、ポリカーボネート（ＰＣ）樹脂製の装飾プレート７２Ａの後面側にポリアセタール（ＰＯＭ）樹脂製（ジュラコン）の機構プレート７２Ｂをビス止めしてなり、これにより、レール部７３Ａの開口幅より奥側が幅広の構造を実現している。また、機構プレート７２Ｂには、レール部７３Ａと平行に退避用スリット７２Ｓが形成されている。そして、レール部７３Ａの開口縁を構成する壁部７２Ｈを退避用スリット７２Ｓ側に変形させてレール部７３Ａの開口幅を広げることで、スライド部７３Ｂの係合円板７３Ｄをレール部７３Ａの奥部に押し込むことができるようになっている。また、図１２に示したスライド部７３Ｂのうち円柱脚部７３Ｃは従動プレート７２に一体成形されている。そして、雄ネジの一端に円板を有した図示しない金属ネジが円柱脚部７３Ｃの中心にねじ込まれ、その金属ネジの円板が係合円板７３Ｄになっている。
【００６８】
なお、図１５に示すように、各従動プレート７２の後面における下縁部と、従動プレート７２及び直動プレート７１の前面における上縁部とには、それぞれ１対のローラ７２Ｖ，７２Ｗが設けられている。そして、これらローラ７２Ｖ，７２Ｗによって隣り合った従動プレート７２，７２同士、及び、従動プレート７２と直動プレート７１とが、スムーズに擦れ違うことができる。
【００６９】
図９に示すように、枠形ベース４１の上辺４１Ｕにおける左右方向の中央部には、プレート収納部４５が備えられている。プレート収納部４５は、下方と後方とに開放しており、後方の開放部が枠形カバー４２によって覆われている。また、プレート収納部４５の前面壁４５Ｆは、枠形ベース４１の上辺４１Ｕ全体に対して前方に段付き状に膨出している。その前面壁４５Ｆに、第１の扉５１のうち直動プレート７１から最も離れた側の従動プレート７２が後面側から重ねられて従動連結機構７３Ｙにて連結されている。これにより、第１の扉５１は、直動プレート７１及び従動プレート７２群を重ねた状態にしてプレート収納部４５に収容される。
【００７０】
具体的には、従動連結機構７３Ｙは、図４に示すように前面壁４５Ｆに貫通形成された１対のレール部７３Ｈ，７３Ｈと、従動プレート７２の前面に形成された１対のスライド部７３Ｊ，７３Ｊとからなる。レール部７３Ｈ，７３Ｈは、平行になって前面壁４５Ｆの上端寄り位置から下端寄り位置まで延びている。一方、スライド部７３Ｊ，７３Ｊは従動プレート７２の上端寄り位置に配置されている。そして、スライド部７３Ｊ，７３Ｊがレール部７３Ｈ，７３Ｈに挿通され、前面壁４５Ｆの前面に配置された抜け止め板７３Ｐの両端部がそれらスライド部７３Ｊ，７３Ｊにビス止めされている。これにより、レール部７３Ｈに対してスライド部７３Ｊが直動可能かつ抜け止め状態に係合している。
【００７１】
図９に示すように第１の扉５１の駆動源である縦開閉用モータ８０（本発明の「回転駆動源」に相当する）は、フレーム部材３５の上辺に取り付けられている。そして、その縦開閉用モータ８０と第１の扉５１における直動プレート７１との間が、図１１に示した本発明に係る回転直動変換機構８０Ｘによって連結されている。
【００７２】
具体的には、図９に示すように、縦開閉用モータ８０は、枠形ベース４１の回転軸を左右方向に向けた状態にして枠形ベース４１の上辺４１Ｕの上方に配置されている。また、その枠形ベース４１の回転出力軸には、リール８１が固定されている。このリール８１は、図１６に示すように円筒体８１Ａの両端部から円板８１Ｂ，８１Ｂを張りだしたボビン形状をなしている。そして、直動巻回ベルト８５の一端部がリール８１に固定される一方、直動巻回ベルト８５の他端部が直動プレート７１に固定され、これらリール８１と直動巻回ベルト８５から回転直動変換機構８０Ｘが構成されている。
【００７３】
直動巻回ベルト８５は、例えば、バネ合金製の板金であって、直線状に延びた状態で幅方向において円弧状（図１６の断面Ｓ１参照）に湾曲した構造になっている。なお、本実施形態の直動巻回ベルト８５は、長さを測るためのメジャーに用いられている金属帯材と同じである。
【００７４】
直動巻回ベルト８５の一端部はリール８１（詳細には、円筒体８１Ａ）の外周面に接線方向を向けた状態にして固定されている。そして、直動巻回ベルト８５は、凹部を内側にしてリール８１に巻回される。また、直動巻回ベルト８５は、リール８１に巻回されると、幅方向において平坦（図１６の断面Ｓ２参照）になるように弾性変形される。ここで、直動巻回ベルト８５の弾性復元力により巻回された直動巻回ベルト８５が径方向に広がるように弾発力が作用する。そこで、リール８１の周囲がベルト押さえ８２に覆われている。そのベルト押さえ８２は、円環体の一部を切り欠いた形状をなし、径方向に弾性変形可能になっている。そして、ベルト押さえ８２は、切り欠き部分を後方斜め下側に向けた状態にしてフレーム部材３５に取り付けられ、リール８１の外周面を外側から覆っている。これにより、直動巻回ベルト８５の拡径を規制している。また、ベルト押さえ８２は、直動巻回ベルト８５の巻回量が増すに従ってその直動巻回ベルト８５に押されてリール８１から離れる側に弾性変形し、直動巻回ベルト８５に過剰な負荷が掛からないようになっている。
【００７５】
直動巻回ベルト８５は、ベルト押さえ８２の切り欠き部分を通して、リール８１の後方部から外周面の接線方向下方に向かって引き延ばされている。また、枠形ベース４１のうちプレート収納部４５（図９参照）の上面壁（図示せず）には、図示しないベルト挿通孔が形成され、直動巻回ベルト８５はそのベルト挿通孔を通って直動プレート７１へと延びている。その直動巻回ベルト８５の先端部は、図１２に示すように直動プレート７１におけるプレート本体７１Ａとガイドプレート７１Ｂとの間に挟んだ状態にして固定されている。
【００７６】
そして、縦開閉用モータ８０によりリール８１を一方に回転駆動して直動巻回ベルト８５を巻き取ると、直動プレート７１が上端位置（本発明の「終端位置」に相当する）に移動してプレート収納部４５内に収納され（図６参照）、縦開閉用モータ８０によりリール８１を他方に回転駆動して直動巻回ベルト８５をリール８１から延ばすと、ガイドプレート７１Ｂとガイド溝４６の下端部とが当接する下端位置（本発明の「終端位置」に相当する）まで移動する（図９参照）。
【００７７】
ここで、直動プレート７１が上下動すると、それに従動して従動プレート７２群も上下動する。また、各従動プレート７２が自重により下方に付勢されているので、上記した従動連結機構７３Ｘ（図１４参照）のスライド部７３Ｂは、レール部７３Ａにおける下端部に当接して位置決めされると共に、従動連結機構７３Ｙ（図９参照）のスライド部７３Ｊは、レール部７３Ｈのにおける下端部に当接して位置決めされている。そして、図９に示すように隣り合った従動プレート７２同士、従動プレート７２とプレート収納部４５、従動プレート７２と直動プレート７１とがそれぞれずれた状態に保持され、第１の扉５１が、枠形ベース４１の上辺４１Ｕから枠形ベース４１の下辺４１Ｄ寄り位置まで延びた状態になる。これにより図２に示すように液晶表示画面３４のうち中特別図柄１３Ｂを上下にスクロール表示する中領域３４Ｂの一部が第１の扉５１によって前方から覆われた全閉状態になる。
【００７８】
第１の扉５１が全閉状態で、縦開閉用モータ８０にてリール８１を一方に回転駆動すると、直動巻回ベルト８５がリール８１に巻き取とられて直動プレート７１が上昇する。このとき、全ての従動プレート７２が静止した状態なり、直動プレート７１と下端側の従動プレート７２との間の従動連結機構７３Ｘにおいて、スライド部７３Ｂがレール部７３Ａ内を移動する。そして、図１０（Ａ）に示すように、同図の下端側の直動プレート７１と直動プレート７１とが完全に重なった状態になる。このとき、直動プレート７１と従動プレート７２との間の従動連結機構７３Ｘにおけるスライド部７３Ｂがレール部７３Ａの上端部に当接する。この状態でさらに直動プレート７１をさらに上昇すると、図１０（Ｂ）に示すように下端側の従動プレート７２と直動プレート７１とが一体になって上昇し、やがて下端側２つの従動プレート７２，７２と直動プレート７１とが完全に重なった状態になる（図示せず）。この状態からさらに直動プレート７１を上昇させると、下端側２つの従動プレート７２，７２と直動プレート７１とが一体になって上昇し、３つの従動プレート７２全てと直動プレート７１とが完全に重なった状態になり、さらに上昇してプレート収納部４５内に第１の扉５１が収納される。
【００７９】
第１の扉５１がプレート収納部４５に収納された状態で縦開閉用モータ８０にてリール８１を他方に回転駆動すると、上記動作と逆の動作を行い、従動プレート７２群と直動プレート７１とが徐々に展開されて行き、図９に示した閉鎖状態に戻る。ここで、直動プレート７１を下方に移動する際に、例えば、従動連結機構７３Ｘ，７３Ｙに引っ掛かりが生じた場合に、リール８１と直動プレート７１との間で直動巻回ベルト８５が突っ張り状態になる。これに対し、直動巻回ベルト８５は、直前状態で幅方向において円弧状をなし、座屈強度が高くなっているので、従動連結機構７３Ｘ，７３Ｙ等の引っ掛かりに抗して直動プレート７１を押し下げることができる。
【００８０】
本実施形態の構成に関する説明は以上である。次に、上記構成からなる本実施形態の作用・効果を説明する。パチンコ遊技機１０の操作ノブ２８を操作して遊技を行うと、遊技開始当初は、例えば、第１〜第３の扉５１〜５３（図２参照）が全開状態になって、図１に示すように、液晶表示画面３４全体が視認可能になっている。
【００８１】
遊技中に遊技球が始動入賞口１４Ａ，１４Ｂに入賞して遊技の当否判定が行われると、液晶表示画面３４において左、中、右の特別図柄１３Ａ，１３Ｂ，１３Ｃが上下方向に変動表示（スクロール）される。そして、左右の特別図柄１３Ａ，１３Ｃが停止し、中特別図柄１３Ｂのみがスクロールした状態になる。このとき、左右の特別図柄１３Ａ，１３Ｃが同じ図柄になってリーチ状態になると、当否判定結果が当たりになることに対する期待感が膨らむ。ここで、本実施形態のパチンコ遊技機１０では、リーチ状態で、例えば、図１７（Ａ）に示すように、第２及び第３の扉５２，５３のみを閉じて左右の特別図柄１３Ａ，１３Ｃを隠し、液晶表示画面３４の中央部をクローズアップする演出を行う。そして、例えば、液晶表示画面３４の中央部にハズレ図柄９０を変動表示してから、第１の扉５１が下方に徐々に下方に伸ばして閉じて行く。このとき、図１７（Ｂ）に示すように第１の扉５１によってハズレ図柄９０が押し潰されるように液晶表示画面３４の画像と第１の扉５１とを協調させた演出も行う。
【００８２】
ここで、当否判定の結果がハズレであった場合には、図２に示すように第１〜第３の扉５１〜５３が全閉した状態に保持される。一方、当否判定の結果が当たりであった場合には、例えば、ハズレ図柄９０が突然破裂するように消え、図１７（Ｃ）に示すように、第１〜第３の扉５１〜５３が一気に全開して、当たり図柄９１が表示される。そして、図１に示した可動扉１５Ｔが開き、大当たり遊技に移行する。また、上記以外にも第１〜第３の扉５１〜５３が種々の開閉動作を行って遊技を演出する。
【００８３】
このように、本実施形態のパチンコ遊技機１０では、第１〜第３の扉５１〜５３の動作と液晶表示画面３４の画像を合わせて遊技者に見せることで、演出効果を高めることができる。そして、第１の扉５１を直動するための回転直動変換機構８０Ｘが、直動巻回ベルト８５を必要な量だけリール８１から延ばし、不要な部分はリール８１に巻回する構成になっているので、従来のラックアンドピニオンによる回転直動変換機構に比べて小さいスペースに設置することができる。しかも、直動巻回ベルト８５が、直線状に延びた状態で幅方向において円弧状に湾曲した板金で構成されているので、座屈強度も高い。また、直動巻回ベルト８５を板金で構成したことにより、樹脂で構成した場合に比べて信頼性が向上すると共に、薄肉化することができ、コンパクトになる。また、リール８１に巻回された直動巻回ベルト８５の径方向の広がりをベルト押さえ８２によって規制しているので、この点によってもコンパクトにすることができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態お直動巻回ベルト８５は金属製であったが、直動巻回ベルトは、樹脂、ゴム等で構成してもよい。
【００８５】
（２）前記実施形態では、直動巻回ベルト８５が上下方向に延びて第１の扉５１を上下動させる構成であったが、直動巻回ベルト８５を水平方向に延ばして直動部材を水平方向に直動させる構成にしてもよい。
【図面の簡単な説明】
【００８６】
【図１】本発明の一実施形態に係るパチンコ遊技機の正面図
【図２】遊技板の正面図
【図３】遊技板と扉ユニットと液晶モジュールの分解斜視図
【図４】扉ユニットの分解斜視図
【図５】扉ユニットの分解斜視図
【図６】扉ユニットの各扉を全開した状態の斜視図
【図７】扉ユニットにおける第２と第３の扉を半開きにした状態の斜視図
【図８】扉ユニットの各扉を全閉した状態の斜視図
【図９】扉ユニットの第１の扉を全閉した状態の斜視図
【図１０】扉ユニットの第１の扉を半開きにした状態の斜視図
【図１１】第１の扉の斜視図
【図１２】第１の扉の分解斜視図
【図１３】第１の扉の後方側から見た斜視図
【図１４】従動プレートの斜視図
【図１５】従動プレートの分解斜視図
【図１６】回転直動変換機構の分解斜視図
【図１７】各扉を開閉動作を示した正面図
【図１８】従来の回転直動変換機構の斜視図
【符号の説明】
【００８７】
１０    パチンコ遊技機
３３    液晶モジュール（表示装置）
３４    液晶表示画面（表示画面）
３５    フレーム部材
４４Ａ，４４Ｂ，４６，５５Ｂ    ガイド溝
４５    プレート収納部
４６Ａ  摺接突条
５５    横開閉扉
５５Ｔ  スライド突片
５６    従動扉
５６Ａ  スライド突部
５７    扉連結機構
６０    ラックアンドピニオン機構
６０Ａ  ラック
６０Ｂ  ピニオン
６１，７１Ｃ    ガイド突条
６２    上端支持壁部材
６３    横開閉用モータ（サブ回転駆動源）
７１    直動プレート（直動部材）
７１Ｂ  ガイドプレート（直動ガイド部材，支持補助部材）
７２    従動プレート（従動部材）
７３Ａ，７３Ｈ    レール部
７３Ｂ，７３Ｊ    スライド部
７３Ｘ，７３Ｙ    従動連結機構
８０    縦開閉用モータ（回転駆動源）
８０Ｘ  回転直動変換機構
８１    リール
８２    ベルト押さえ
８５    直動巻回ベルト
【図１】
2008194313.tif 000003
【図２】
2008194313.tif 000004
【図３】
2008194313.tif 000005
【図４】
2008194313.tif 000006
【図５】
2008194313.tif 000007
【図６】
2008194313.tif 000008
【図７】
2008194313.tif 000009
【図８】
2008194313.tif 000010
【図９】
2008194313.tif 000011
【図１０】
2008194313.tif 000012
【図１１】
2008194313.tif 000013
【図１２】
2008194313.tif 000014
【図１３】
2008194313.tif 000015
【図１４】
2008194313.tif 000016
【図１５】
2008194313.tif 000017
【図１６】
2008194313.tif 000018
【図１７】
2008194313.tif 000019
【図１８】
2008194313.tif 000020